(57)【要約】  【課題】  便座上に載置されたクション体が、便座に着座した人と誤認されないようにすること。  【解決手段】赤外線センサが便座に着座した人を検知したときに限り、前記人の局部への温水の噴射を可能とする洗浄機構を備え、ポータブルトイレにおいて、前記便座上に載置されるクション体に、赤外線吸収シートを設けた。【選択図】  図１１
2006109879.tif 000002
【特許請求の範囲】
【請求項１】
赤外線センサが便座に着座した人を検知したときに限り、前記人の局部への温水の噴射を可能とする洗浄機構を備え、ポータブルトイレにおいて、前記便座上に載置されるクション体に、赤外線吸収シートを設けたことを特徴とする、ポータブルトイレ。
【請求項２】
請求項１において、前記赤外線センサは、前記便座の後部に設置された戦場部のケース表面に設けられ、前記赤外線吸収シートは、前記赤外線センサと対面している前記クッション体の表面に設けられることを特徴とする。ポータブルトイレ。
【発明の詳細な説明】
【技術分野】
【０００１】
本発明は、ポータブルトイレに関する。
【背景技術】
【０００２】
近年、高齢者時代の到来とともに在宅の寝たきり老人の介護が大きな社会問題となりつつある。この介護に際しては特に排泄物の処理が大変である。かような事情に鑑み、寝室・病室などの室内に家具の如く置いておくことができるポータブルトイレが種々市販されるようになってきた。しかして、例えば特許文献１に開示されるようなポータブルトイレは、洗浄ノズルより洗浄水を人体局部に向けて噴射・洗浄する局部洗浄装置を備えており、入浴すること自体が困難な病人等においても、用足し後に局部を清浄に保つことを可能ならしめている。そして、ポータブルトイレの使用者若しくは介護者が、リモコン装置を操作して局部洗浄装置を作動させるようになっている。
【特許文献１】特開２００２−２０９７９６号公報
【発明の開示】
【発明が解決しようとする課題】
【０００３】
特許文献１に開示されたポータブルトイレを用いれば確かに、洗浄ノズルより洗浄水を人体局部に向けて噴射・洗浄する局部洗浄装置により、入浴すること自体が困難な病人等においても、用足し後に局部を清浄に保つことが可能になる。しかも、局部洗浄装置の作動はリモコン装置を操作することにより、簡易に行え、絶賛に値すると言っても過言ではない。
【０００４】
しかしながら、特許文献１に開示されたポータブルトイレには、実用上、改善の余地が残されている。すなわち、このポータブルトイレは、要介護者の居室に据え置かれるが、このポータブルトイレを使用する要介護者は、所謂「寝たきり」ではないので、イスに座って休息をとりたいこともある。この場合、イスを別途、据え置くことも考えられるが、居室のスペースに余裕が無い限り、それは困難である。この場合、ポータブルトイレの便座上にクッション体を載置して、イスの代替機能を果たすようにすることが考えられるが、便座上にクッション体を置いたとき、便座近傍に設置された赤外線センサが、クッション体を人と誤認し、局部洗浄装置が作動可能状態にある。この状態の下、要介護者がリモコン装置を嬲ったり、要介護者の居室を訪れた幼児・子供がリモコンを悪戯して操作した場合、洗浄水が噴射されて、クッション体が濡れてしまうという不具合惹起の危惧がある。
【０００５】
それ故に、本発明は、かような不具合が惹起されないようにすることを、その技術的課題とする。
【課題を解決するための手段】
【０００６】
上記の課題を解決するために講じた技術的手段は、請求項１に記載のように、
「赤外線センサが便座に着座した人を検知したときに限り、前記人の局部への温水の噴射を可能とする洗浄機構を備え、ポータブルトイレにおいて、前記便座上に載置されるクション体に、赤外線吸収シートを設けたことを特徴とするポータブルトイレ」
を構成したことである。
【発明の効果】
【０００７】
本発明によれば、クション体を便座上に載置しても、クション体に設けられた赤外線吸収シートが赤外線センサの機能を無効化するので、赤外線センサがクション体を便座に着座した人と誤認することはない。
【発明を実施するための最良の形態】
【０００８】
以下、本発明の温水洗浄便座装置を具体化した一実施の形態を、図面を参照して詳細に説明する。
【０００９】
図１〜図３において、ポータブルトイレ１０は、イス部２０を備える。イス部２０には、前後方向にスライド可能な支持板２２が設けられる。支持板２２には孔２４が形成されている。樹脂製の外バケツ３０が孔２４の内部に嵌入されており、外バケツ３０の縁部３２が支持板２２と係合している。かようにして、外バケツ３０は、支持板２２に懸架される。
【００１０】
外バケツ３０の内部には、樹脂製の内バケツ４０が収容される。この内バケツ４０の開口部は、不使用時は、蓋５０で閉塞される。
【００１１】
支持板２２の後方部には洗浄部６０が装着される。洗浄部６０は、ケース６２と、ケース６２に枢着された便座６４と、ケース６２内に設置された洗浄機構９０（図１０）とから構成される。洗浄機構９０は、後で説明するように、内バケツ４０を開放状態にし、便座６２に着座した使用者が排泄した後、リモコン１００を操作すると、ノズルから温水が使用者の肛門（女性陰部）に噴射されて、洗浄がなされるようになっている。
【００１２】
ポータブルトイレ１０は、使用されない時は、図１に示されるように、内バケツ４０の開口部が蓋５０で閉塞され、このような状態で、便座６２が使用位置におかれる。ポータブルトイレ１０を使用する場合、つまり要介護者が排泄しようとする場合、介護者は、まず、まず、便座６２を起立させて（図３）、支持板２２を少し前方に引き出し（図４）、蓋５０を取って内バケツ４０を開放状態とし（図５）て、支持板２２を元に戻し、便座６２を使用位置にする。そして、要介護者が便座６２に着座して排泄し、温水洗浄がなされる。排泄物（大便・小便）は、内バケツ４０内に収容される。
【００１３】
かような一連の排泄行為が終了すると、内バケツ４０内に収容される排泄物をトイレ室の便器（若しくは汚物流し）に捨てる必要があるので、支持板２２が少し前方に引き出され、内バケツ４０内が取り出される（図６）。以下の詳しく述べるように、内バケツ４０は、排泄物が収容された容器本体４２の、把手４４に対する相対回動が阻止される構成となっているので、少し前方にする。
【００１４】
尚、上記において支持板２２を少し前方に引き出すのは、上方に取り出そうとする蓋５０・内バケツ４０とノズルとの干渉を回避するためである。
【００１５】
図７〜図９に依拠して、内バケツ４０について、詳細に説明する。
【００１６】
内バケツ４０は、容器本体４２と、把手４４とを備える。把手４４は逆Ｕ字型をなしており、その遊端部４４ａ・４４ａは、容器本体４２の長手方向の略外面中央部に一体のピン４６・４６と回転自在に連結されている。つまり、逆Ｕ字型をなす把手４４の双方の遊端部４４ａ・４４ａを容器本体４２のピン４６・４６に枢着することにより、把手４４が、双方の枢着点たるピン４６・４６を結ぶ枢軸Ｘを中心として、容器本体４２に対して回動可能とされる。
【００１７】
容器本体４２の、枢軸Ｘの右側の端部には、非使用位置にある把手を休止位置に保持する休止体４９が一体形成されている。また、容器本体４２の、枢軸Ｘの左側の上面部には、外方向に突出する上縁部４８・４８が一体形成されており、その端部４８ａ・４８ａが、起立された状態の把手４４の遊端部４４ａ・４４ａと、所定の間隔をおいて対峙している。
【００１８】
図７及び図８から明らかなように、容器本体４２は、枢軸Ｘに関して左右対称ではなく、右側の容積が大きく設定されている。しかして、排泄物は、容器本体４２の右側部分に主として収容されるので、枢軸Ｘの中心と排泄物を収容した容器本体４２の重心とは同一鉛直線上にはなく、容器本体４２が外バケツ３０内で着座した状態で、起立した把手４４を持ち上げたとき、容器本体４２は枢軸Ｘの周りを時計方向に回動しようとする。しかし、把手４４の遊端部４４ａ・４４ａが、容器本体４２の上縁部４８・４８の端部４８ａ・４８ａと係合し、更なる回動を阻止する。これにより、容器本体４２の大きな回動に伴う排泄物のこぼれが防止される。
【００１９】
洗浄装置９０は、前に少し述べたように、リモコン装置１００を操作して、肛門若しくは女性陰部を温水洗浄するものである。この点について、以下、図９及び図１０を参照しながら、詳細に説明する。
【００２０】
図９に示されるように、洗浄装置９０は、ケース６２内に収容されたタンク９１を備える。タンク９１内には、ヒータ９２その他の手段（図示略）で所定の温度に昇温・維持された洗浄温水が貯留される。ポンプＰが作動したとき、イスの後部に設置された補助タンク９３内に貯留された温水がタンク９１内に圧送されて、配管９９、第１位置（第２位置）にある切換弁９４及び分岐管９９ａ（分岐管９９ｂ）ａを介して、肛門洗浄ノズル９５（ビデ洗浄ノズル９６）に供給される。そして、この温水の水圧で肛門洗浄ノズル９５（ビデ洗浄ノズル９６）が前方に所定距離だけ伸長し、肛門洗浄ノズル９５（ビデ洗浄ノズル９６）の先端の噴出口から、温水が、肛門（女性陰部）に向けて噴射される。
【００２１】
かような洗浄装置９０の作動は、便座への使用者の着座が確認された後、図１０に示されるようなリモコン装置１００からの赤外線信号が第１センサ９７で受光されたとき、この信号に従って制御装置ＣＰＵが、ポンプＰの駆動及び切換弁９４を作動することによりなされる。しかして、赤外線センサたる第２センサ９８から照射される赤外線の反射光線が確認されたとき（確認されないとき）、着座（非着座）と、制御装置ＣＰＵにより認識されるが、洗浄装置９０がスタンバイの状態になるのは、着座（非着座）が制御装置ＣＰＵにより確認された後である。これは、非着座の状態で、例えばリモコン装置１００が操作されて、洗浄温水がノズル９５（若しくは９６）から室内に放射されて床が濡れるのを防止するためである。
【００２２】
しかして、図１１に示されるように、便座６４上にクッション体１１０が載置され、ポータブルトイレが安楽椅子としても使用されることがある。この場合、第２センサ９８がクション体１１０を検知することにより、制御装置ＣＰＵが便座６４へ使用者が着座していると誤認し、洗浄装置９０がスタンバイの状態になる。この状態で、リモコン装置１００が操作されると、洗浄温水がノズル９５（若しくは９６）から噴射されてクション体１１０を濡らす危惧がある。そこで、かような不具合が惹起されないような手当てがなさせている。すなわち、クション体１１０に、第２センサ９８と対峙する位置に、赤外線吸収シート１１１が設けられている。第２センサ９８から放射される赤外線が、この赤外線吸収シート１１１に吸収されて、第２センサ９８の機能が事実上、無効化されるので、便座６４上に載置されたクション体１１０が、便座６４に着座した人と誤認されることがなく、着座なしに洗浄装置９０がスタンバイの状態になり、上記した不具合が惹起されることはない。
【００２３】
上記したように、洗浄機構９０は、リモコン装置１００との間の赤外線通信によって、操作される。しかして、洗浄機構９０がリモコン装置１００により操作されるのは、リモコン装置１００からの赤外線信号が第１センサ９７で受光されることが前提となっている。リモコン装置１００から発せられる赤外線信号が、一直線に進んで、第１センサ９７で受光されれば問題はないが、リモコン装置１００から発せられる赤外線信号が、天井に反射した後（床面及び天井に反射した後）第１センサ９７で受光されることが有り得る。この場合、信号伝達が上手くいかない可能性ある。また、介護施設の大部屋で、パーティションを隔てた状態で、同じ型のポータブルトイレが、略同時に使用されることを想定した場合、一方のポータブルトイレの使用者がビデ洗浄しようとリモコン装置を操作した場合、このリモコン装置から出た信号が、男性が着座している他方のポータブルトイレで受光さると、洗浄温水が男性の顔面を直撃することになる（男性が要介護者である場合、着座の際は前かがみになるから）。信号伝達の円滑化に加え、かようなハップニングへの対応も考慮して、リモコン装置１００と制御装置ＣＰＵとが、コード１３０で連結されるようになっている。具体的には、コード１３０の一端部及び他端部に接続されたプラグ１３１及び１３２が、制御装置ＣＰＵ側のジャック１４１及びリモコン装置１００側のジャック１４２に夫々挿脱自在に嵌着可能ならしめることにより、リモコン装置１００から制御装置ＣＰＵへの信号伝達が確実に、しかも他のポータブルトイレに影響を与えずに、確実に行うことが出来る。
【図面の簡単な説明】
【００２４】
【図１】本発明の一実施の形態に係るポータブルトイレの斜視図である。
【図２】図１のポータブルトイレの分解斜視図である。
【図３】図１のポータブルトイレの使用開始前、便座を起立させたときの、斜視図である。
【図４】図１のポータブルトイレの使用開始前、図３の状態を齎した後、支持板を引き出したときの、斜視図である。
【図５】図１のポータブルトイレの使用開始前、図４の状態を齎した後、蓋を引き上げたときの、斜視図である。
【図６】図１のポータブルトイレの使用開始後、内バケツを引き上げようとするときの、斜視図である。
【図７】本発明の一実施の形態に係るバケツ単体の側面図である。
【図８】図７のバケツ単体の平面図である。
【図９】洗浄機構の側面図である。
【図１０】リモコン装置の正面図である。
【図１１】便座にクション体を載置したときの側面図である。
【符号の説明】
【００２５】
４０  バケツ（内バケツ）
４２  容器本体
４４  把手
４８  上縁部（回動防止手段）
６４  便座
９０  洗浄機構
９８  赤外線センサ
１００  リモコン装置
１１０  クション体
１３０  コード
【図１】
2006109879.tif 000003
【図２】
2006109879.tif 000004
【図３】
2006109879.tif 000005
【図４】
2006109879.tif 000006
【図５】
2006109879.tif 000007
【図６】
2006109879.tif 000008
【図７】
2006109879.tif 000009
【図８】
2006109879.tif 000010
【図９】
2006109879.tif 000011
【図１０】
2006109879.tif 000012
【図１１】
2006109879.tif 000013